(57)【要約】【課題】ＤＣモーターの複雑で大きくなる制御回路を収納した回路ケースを、本体フレームの狭い天面からはみ出すことなく天面に装着し、室内側からメンテナンスすることができる天井埋込形換気扇を提供することを目的とする。【解決手段】本体フレーム３の天面４に、制御回路１１を収納した回路ケース１２を備え、天面４は、本体フレーム３内を通して下方へ着脱自在となるように下方からねじ止めされ、回路ケース１２は、ＤＣモーター５の水平方向中心線Ｌと直交しＤＣモーター５に近い側の側面１４を、平面視、少なくとも左右方向の一方側がＤＣモーター５に接近する形状としたことにより、回路ケース１２を、本体フレーム３の狭い天面４からはみ出すことなく最大限大きく形成したうえで、室内側からメンテナンスすることができる。【選択図】図３
2010164202.tif 000002
【特許請求の範囲】
【請求項１】
部屋の天井裏に埋め込んで取り付けられ、下面に天井板の開口部に対応する吸込口を有し、側面に吐出口を有する本体フレームと、前記本体フレーム内部に設けられ、前記フレームの天面に固定されたＤＣモーターに駆動される遠心送風ファンおよび前記遠心送風ファンを包囲するファンケーシングからなり、前記部屋内の空気を前記吸込口から吸入して前記吐出口から室外へ吐出する送風ユニットと、前記本体フレームの下面開口部を前記部屋側から覆って着脱自在に装着される化粧パネルと、前記本体フレームの天面に装着され、前記送風ユニットを駆動制御する制御回路を収納した回路ケースとを備え、前記天面は鋼板によって形成され、前記本体フレーム内を通して下方へ着脱自在となるように下方からねじ止めされ、前記回路ケースは、前記ＤＣモーターの水平方向中心線と直交し前記ＤＣモーターに近い側の側面を、平面視、少なくとも左右方向の一方側が前記ＤＣモーターに接近する形状とし、前記天面からはみ出さない大きさとしたことを特徴とする天井埋込形換気扇。
【請求項２】
ファンケーシングのスクロール状の側面と天面がフレームの上部側を兼ねる天井埋込形換気扇にあって、回路ケースの外方側一側面を前記ファンケーシングのスクロール状に沿う形状とした請求項１記載の天井埋込形換気扇。
【請求項３】
電装部分は本体フレームの天面の上にすべて配設した請求項１または２記載の天井埋込形換気扇。
【請求項４】
回路ケースの側面に制御回路と電源電線を接続する接続端子の接続開口を設け、前記接続開口はフレームの天面におけるＤＣモーターおよび回路ケースの占めないスペースに向けて形成された請求項１〜３のいずれかに記載の天井埋込形換気扇。
【請求項５】
接続開口は、フレームの吐出口と連通接続される排気ダクトの室外への配管方向を除く方向に向けて形成された請求項４記載の天井埋込形換気扇。
【請求項６】
接続端子を速結端子とし、前記速結端子に接続された電源電線をリリースするための押しボタンが回路ケースの上面側に臨むように前記上面に開口を設け、前記開口にカバーを開閉自在に設けた請求項４または５記載の井埋込形換気扇。
【請求項７】
回路ケースは、上面が開口し下面側に制御回路を配設するケースと、前記ケースの上面開口を覆うケースカバーとからなり、前記ケースを深底の箱状とした請求項１〜６のいずれかに記載の天井埋込形換気扇。
【請求項８】
制御回路とＤＣモーターを導通接続するリード線を、その長さが最短になるように回路ケースから引き出し前記ＤＣモーターに配線した請求項１または２記載の換天井埋込形換気扇。
【請求項９】
制御回路とＤＣモーターを導通接続するリード線に雑音防止用のフェライトコアを設け、前記フェライトコアを回路ケースの外に配設した請求項１または２記載の換天井埋込形換気扇。
【請求項１０】
制御回路と別の外部機器を接続するコードの接続端子を回路ケースの側面に設け、前記接続端子の上方を覆うひさしを設けた請求項１〜９のいずれかに記載の換気装置。
【発明の詳細な説明】
【技術分野】
【０００１】
本発明は、天井裏に設置し屋外と連通するダクトとに接続され、天井に設けた開口に埋め込まれ、室内の換気を行うＤＣモーターを搭載した換気装置に関する。
【背景技術】
【０００２】
従来、制御回路を搭載した換気装置は本体フレームの内部に、下面に吸込口と側面に吐出口を有したファンケーシングを設け、本体フレームとファンケーシングとの隙間に制御装置を設けて構成されていた（例えば、特許文献１参照）。
【特許文献１】特開平５−１０６８７９号公報
【発明の開示】
【発明が解決しようとする課題】
【０００３】
このような従来の天井埋込形換気扇では、ＤＣモーターを搭載した場合、ＤＣモーターを制御するために必ず制御回路が必要であり、その制御回路は複雑で大きくなるため、本体フレーム内部のスペースに装着することができなく、また、本体フレームの天面上に装着すると、メンテナンスが部屋側からはできないという課題があった。
【０００４】
本発明は、このような従来の課題を解決するものであり、ＤＣモーターの複雑で大きくなる制御回路を収納した回路ケースを、フレームの狭い天面からはみ出すことなく最大限大きく形成したうえで、この回路ケースを装着した天面をフレーム内を通し下方へ降ろしてメンテナンスすることができる天井埋込形換気扇を提供することを目的とする。
【課題を解決するための手段】
【０００５】
本発明の天井埋込形換気扇は、上記目的を達成するために、部屋の天井裏に埋め込んで取り付けられ、下面に天井板の開口部に対応する吸込口を有し、側面に吐出口を有する本体フレームと、前記本体フレーム内部に設けられ、前記フレームの天面に固定されたＤＣモーターに駆動される遠心送風ファンおよび前記遠心送風ファンを包囲するファンケーシングからなり、前記部屋内の空気を前記吸込口から吸入して前記吐出口から室外へ吐出する送風ユニットと、前記本体フレームの下面開口部を前記部屋側から覆って着脱自在に装着される化粧パネルと、前記本体フレームの天面に装着され、前記送風ユニットを駆動制御する制御回路を収納した回路ケースとを備え、前記天面は鋼板によって形成され、前記フレーム内を通して下方へ着脱自在となるように下方からねじ止めされ、前記回路ケースは、前記ＤＣモーターの水平方向中心線と直交し前記ＤＣモーターに近い側の側面を、平面視、少なくとも左右方向の一方側が前記ＤＣモーターに接近する形状とし、前記天面からはみ出さない大きさとしたものである。
【０００６】
また、他の手段は、ファンケーシングのスクロール状の側面と天面がフレームの上部側を兼ねる天井埋込形換気扇にあって、回路ケースの外方側一側面を前記ファンケーシングのスクロール状に沿う形状としたものである。
【０００７】
また、他の手段は、電装部分は本体フレームの天面の上にすべて配設したものである。
【０００８】
また、他の手段は、回路ケースの側面に制御回路と電源電線を接続する接続端子の接続開口を設け、前記接続開口はフレームの天面におけるＤＣモーターおよび回路ケースの占めないスペースに向けて形成されたものである。
【０００９】
また、他の手段は、接続開口は、フレームの吐出口と連通接続される排気ダクトの室外への配管方向を除く方向に向けて形成されたものである。
【００１０】
また、他の手段は、接続端子を速結端子とし、前記速結端子に接続された電源電線をリリースするための押しボタンが回路ケースの上面側に臨むように前記上面に開口を設け、前記開口にカバーを開閉自在に設けたものである。
【００１１】
また、他の手段は、回路ケースは、上面が開口し下面側に制御回路を配設するケースと、前記ケースの上面開口を覆うケースカバーとからなり、前記ケースを深底の箱状としたものである。
【００１２】
また、他の手段は、制御回路とＤＣモーターを導通接続するリード線を、その長さが最短になるように回路ケースから引き出し前記ＤＣモーターに配線したものである。
【００１３】
また、他の手段は、制御回路とＤＣモーターを導通接続するリード線に雑音防止用のフェライトコアを設け、前記フェライトコアを回路ケースの外に配設したものである。
【００１４】
また、他の手段は、制御回路と別の外部機器を接続するコードの接続端子を回路ケースの側面に設け、前記接続端子の上方を覆うひさしを設けたものである。
【発明の効果】
【００１５】
本発明によれば、本体フレームの天面に装着され、送風ユニットを駆動制御する制御回路を収納した回路ケースを備え、天面は鋼板によって形成され、本体フレーム内を通して下方へ着脱自在となるように下方からねじ止めされ、回路ケースは、ＤＣモーターの水平方向中心線と直交しＤＣモーターに近い側の側面を、平面視、少なくとも左右方向の一方側が前記ＤＣモーターに接近する形状とし、天面からはみ出さない大きさとしたことにより、ＤＣモーターの複雑で大きくなる制御回路を収納した回路ケースを、フレームの狭い天面からはみ出すことなく最大限大きく形成したうえで、この回路ケースを装着した天面をフレーム内を通し下方へ降ろしてメンテナンスすることができるという効果のある天井埋込形換気扇を提供することができる。
【００１６】
また、ファンケーシングのスクロール状の側面と天面がフレームの上部側を兼ねる天井埋込形換気扇にあって、回路ケースの外方側一側面をファンケーシングのスクロール状に沿う形状としたことにより、ファンケーシングがフレームの上部側を兼ね、天面がさらに狭くなっても、回路ケースを最大限大きくできる。
【００１７】
また、電装部分は本体フレームの天面の上にすべて配設したことにより、充電部に排気中の湿気が付着することによるトラッキングの発生を防止できる。
【００１８】
また、回路ケースの側面に制御回路と電源電線を接続する接続端子の接続開口を設け、接続開口はフレームの天面におけるＤＣモーターおよび回路ケースの占めないスペースに向けて形成されたことにより、電源電線が邪魔にならずに天面を降ろすことができ、容易にメンテナンスができる。
【００１９】
また、接続開口は、フレームの吐出口と連通接続される排気ダクトの室外への配管方向を除く方向に向けて形成されたことにより、点検口から電源電線の接続端子への挿脱ができ、メンテナンスが容易になる。
【００２０】
また、接続端子を速結端子とし、速結端子に接続された電源電線をリリースするための押しボタンが回路ケースの上面側に臨むように上面に開口を設け、この開口にカバーを開閉自在に設けたことにより、雨漏りがあっても、その水滴が速結端子内部に侵入することがなく、トラッキングの発生を防止できる。
【００２１】
また、回路ケースは、上面が開口し下面側に制御回路を配設するケースと、前記ケースの上面開口を覆うケースカバーとからなり、ケースを深底の箱状としたことにより、雷サージの対策となる。
【００２２】
また、制御回路とＤＣモーターを導通接続するリード線を、その長さが最短になるように回路ケースから引き出しＤＣモーターに配線したことにより、リード線が雑音を受けて周囲の機器に影響するのを、少なくすることができる。
【００２３】
また、制御回路とＤＣモーターを導通接続するリード線に雑音防止用のフェライトコアを設け、フェライトコアを回路ケースの外に配設したことにより、雑音防止を図るとともに、フレームの狭い天面に回路ケースをはみ出すことなく設けることができる。
【００２４】
また、制御回路と別の外部機器を接続するコードの接続端子を回路ケースの側面に設け、この接続端子の上方を覆うひさしを設けたことにより、埃が接続端子の充電部に浸入してトラッキングを起こすことを防止でき、安全性を確保できる。
【発明を実施するための最良の形態】
【００２５】
本発明の請求項１記載の天井埋込形換気扇は、本体フレームの天面に装着され、送風ユニットを駆動制御する制御回路を収納した回路ケースを備え、前記天面は鋼板によって形成され、前記本体フレーム内を通して下方へ着脱自在となるように下方からねじ止めされ、前記回路ケースは、ＤＣモーターの水平方向中心線と直交し前記ＤＣモーターに近い側の側面を、平面視、少なくとも左右方向の一方側が前記ＤＣモーターに接近する形状とし、前記天面からはみ出さない大きさとしたものであり、送風ユニットと回路ケースをメンテナンスするためにフレーム内を通して下方へ降ろすフレームの天面に、複雑で大きくなるＤＣモーターの制御回路を収納した回路ケースを最大限大きく設けることができるという作用を有する。
【００２６】
また、ファンケーシングのスクロール状の側面と天面がフレームの上部側を兼ねる天井埋込形換気扇にあって、回路ケースの外方側一側面を前記ファンケーシングのスクロール状に沿う形状としたものであり、回路ケースの外方側となる一側面を、ファンケーシングの天面からはみ出さないように最大限大きくできる。
【００２７】
また、電装部分は本体フレームの天面の上にすべて配設したものであり、フレーム内の風路から充電部を完全に隔離できることとなる。
【００２８】
また、回路ケースの側面に制御回路と電源電線を接続する接続端子の接続開口を設け、前記接続開口はフレームの天面におけるＤＣモーターおよび回路ケースの占めないスペースに向けて形成されたものであり、電源電線が天面上に収まり、メンテナンスの際、天面を降ろすときに、電源電線が邪魔にならない。
【００２９】
また、接続開口は、フレームの吐出口と連通接続される排気ダクトの室外への配管方向を除く方向に向けて形成されたものであり、天井面に点検口を設ける場合、排気ダクトの配管されていない箇所に設けるが、接続開口がこの箇所に向いて形成されることとなる。
【００３０】
また、接続端子を速結端子とし、前記速結端子に接続された電源電線をリリースするための押しボタンが回路ケースの上面側に臨むように前記上面に開口を設け、前記開口にカバーを開閉自在に設けたものであり、万一、天井内に雨漏りがしても、水滴が回路ケースの上面の開口から内部に侵入するのをカバーによって阻止できる。
【００３１】
また、回路ケースは、上面が開口し下面側に制御回路を配設するケースと、前記ケースの上面開口を覆うケースカバーとからなり、前記ケースを深底の箱状としたものであり、鋼板製のフレームの天面から回路ケース内の充電部までの沿面距離を大きくとることができる。
【００３２】
また、制御回路とＤＣモーターを導通接続するリード線を、その長さが最短になるように回路ケースから引き出し前記ＤＣモーターに配線したものであり、鋼板製の天面上に配線されて雑音を受けやすいリード線を短くすることができる。
【００３３】
また、制御回路とＤＣモーターを導通接続するリード線に雑音防止用のフェライトコアを設け、前記フェライトコアを回路ケースの外に配設したものであり、雑音防止用のフェライトコアを設けても、ＤＣモーターを駆動制御する制御基板の面積を確保できる。
【００３４】
また、制御回路と別の外部機器を接続するコードの接続端子を回路ケースの側面に設け、前記接続端子の上方を覆うひさしを設けたものであり、天井裏の埃がひさしに遮られて、接続端子に堆積することがない。
【００３５】
以下、本発明の実施の形態について、図１〜図７を参照しながら説明する。
【００３６】
（実施の形態１）
図１および図２に示すように、スクロール状で側方に吐出口２を有した側面および天面４からなるファンケーシング７と、ファンケーシング７の下面開口７ａから下方へ延設し、下面に天井板の開口部に対応する吸込口１を有した箱状のフレーム１３とから本体フレーム３を構成している。すなわち、ファンケーシング７が本体フレーム３の上部側を形成している。本体フレーム３は、部屋の天井裏に埋め込んで取り付けられ、ファンケーシング７の内部に、天面４に固定されたＤＣモーター５に回転駆動される遠心送風ファン６および下面開口７ａに取り付けられるオリフィス８からなり、部屋内の空気を吸込口１から吸入して吐出口２から室外へ吐出する送風ユニット９と、下面の吸込口１を部屋側から覆って着脱自在に装着される化粧パネル１０とを備えている。また、ファンケーシング７の天面４は、鋼板によって形成され、本体フレーム３内を通して下方へ着脱自在となるように下方からねじ止めされ、上面に送風ユニット９を駆動制御する制御回路１１を収納した回路ケース１２を載置している。
【００３７】
そして、図３に示すように、回路ケース１２は平面視したとき、ＤＣモーター５の水平方向中心線Ｌと直交し、ＤＣモーター５に近い側の側面１４を右側（図２の紙面上上側）がＤＣモーター５に接近する形状となっており、回路ケース１２の外方側一側面１６をファンケーシング７のスクロール状に沿う形状とし、これらの形状によって天面４からはみ出さないようにした、最大の大きさとなっている。また、制御回路１１とＤＣモーター５を導通接続するリード線１５は、その長さが最短になるように回路ケース１２から引き出しＤＣモーター５に配線されている。
【００３８】
そして、図３および図４に示すように、回路ケース１２の側面１４に制御回路１１と電源電線１７を接続する速結端子１８の接続開口１９を設け、接続開口１９はファンケーシング７の天面４におけるＤＣモーター５および回路ケース１２の占めないスペース２０に向けるとともに、ファンケーシング７の吐出口２と連通接続される排気ダクト２１の室外への配管方向を除く方向に向けて形成されている。
【００３９】
そして、図４および図５に示すように、速結端子１８に接続された電源電線１７をリリースするための押しボタン２２を、接続された電源電線１７が邪魔にならない回路ケース１２の上面側に臨むように、回路ケース１２上面に開口２３を設け、さらに、開口２３にカバー２４を開閉自在に設けている。このカバー２４は、回路ケース１２に対し、別部品でもヒンジによる一体部品でもよい。
【００４０】
そして、図６に示すように、回路ケース１２は、上面が開口し下面側に制御回路１１を配設するケース２５と、ケース２５の上面開口を覆うケースカバー２６とからなり、ケース２５を深底の箱状としている。
【００４１】
そして、上記の電装品はすべて、天面４の上に配置して設け、これらの間の接続も天面４の上で処理しており、本体フレーム３内の風路から充電部２７を完全に隔離でき、湿気等の水分による漏電や、熱等による制御回路１１の誤動作等が発生しにくくなる。
【００４２】
上記構成によれば、送風ユニット９と回路ケース１２をメンテナンスするために本体フレーム３内を通して下方へ降ろすファンケーシング７の天面４に、複雑で大きくなるＤＣモーター５の制御回路１１を収納した回路ケース１２を最大限大きく設けることができる。
【００４３】
また、制御回路１１と電源電線１７を接続する速結端子１８の接続開口１９がファンケーシング７の天面４におけるＤＣモーター５および回路ケース１２の占めないスペース２０に向けて形成されているため、メンテナンスの際、天面４を降ろすときに、電源電線１７が本体フレーム３に引っかかることなく、容易に作業を行うことができる。
【００４４】
また、天井面に点検口を設ける場合、通常、排気ダクト２１の配管されていない箇所に設けられるため、接続開口１９も点検口と同方向に向けて形成できることとなる。
【００４５】
また、電源電線１７をリリースするための押しボタン２２の開口２３を回路ケース１２の上面側に設けていても、開口２３にカバー２４を開閉自在に設けているため、万一、天井内に雨漏りがしても、水滴が回路ケース１２の上面の開口２３から内部に侵入するのをカバー２４によって阻止でき、かつ、リリース時には簡単に開閉することができる。そして、制御回路１１を配設するケース２５を深底の箱状としたものであり、鋼板製の本体フレーム３の天面４から回路ケース１２内の充電部２７までの沿面距離を大きくとることができ、雷サージによる制御回路１１の破壊を防止することができる。
【００４６】
また、制御回路１１とＤＣモーター５を導通接続するリード線１５を、その長さが最短になるように回路ケース１２から引き出しＤＣモーター５に配線したものであり、鋼板製の天面４上に配線されて雑音を受けやすいリード線１５を短くすることができ、雑音による影響を最低限にすることができる。
【００４７】
このように実施の形態１の天井埋込形換気扇によれば、ＤＣモーター５の複雑で大きくなる制御回路１１を収納した回路ケース１２を、ファンケーシング７の狭い天面４からはみ出すことなく最大限大きく形成したうえで、この回路ケース１２を装着した天面４を、速結端子１８に接続された電源電線１７が本体フレーム３等に接触して邪魔することなく、容易に本体フレーム３内を通し下方へ降ろしてメンテナンスすることができ、さらに、点検口からも容易に電源電線１７の速結端子１８への挿脱や、メンテナンスが可能となる。
【００４８】
また、電装品は本体フレーム３の天面４の上にすべて配設したことにより、充電部２７に排気中の湿気が付着することによるトラッキングの発生を防止でき、もし、雨漏りがあっても、開口２３に設けられたカバー２４によって、その水滴が速結端子１８内部に侵入することがなく、同様にトラッキングの発生を防止でき、安全性を高めることができる。
【００４９】
また、ケース２５を深底の箱状としたことにより、雷サージの対策となり、高価な制御回路１１の破壊を防ぐ。
【００５０】
また、制御回路１１とＤＣモーター５を導通接続するリード線１５を、その長さが最短になるように回路ケース１２から引き出しＤＣモーター５に配線したことにより、リード線１５が雑音を受けて周囲の機器に影響するのを、少なくすることができる。
【００５１】
（実施の形態２）
実施の形態２の天井埋込形換気扇は、図７〜９に示すように、上記実施の形態１の天井埋込形換気扇に対し、別体の構成要素である制御回路１１とＤＣモーター５を導通接続するリード線１５に雑音防止用のフェライトコア２８を設け、フェライトコア２８を回路ケース１２の外に配設するとともに、制御回路１１と別の外部機器を接続するコード２９の接続端子３０を回路ケース１２の側面に設け、接続端子３０の上方を覆うひさし３１を設けた点が相違する。
【００５２】
上記構成によれば、フェライトコア２８を回路ケース１２の外に配設することで回路ケース１２内に配設する、ＤＣモーター５を駆動制御する制御回路１１の基板の面積を確保でき、また、スイッチやコントローラー等の外部機器と接続するコードの接続端子３０の上方を覆うひさし３１を設けることで、天井裏の埃がひさし３１に遮られて、接続端子３０に堆積することがない。
【００５３】
このように本実施の形態２の天井埋込形換気扇によれば、雑音防止用のフェライトコア２８を設け、フェライトコア２８を回路ケース１２の外に配設したことにより、雑音防止を図るとともに、ファンケーシング７の狭い天面４に回路ケース１２をはみ出すことなく設けることができ、ＤＣモーター５を制御する複雑な制御回路１１のように雑音が発生しやすいものにとっては絶大な効果が得られる。
【００５４】
また、接続端子３０の上方を覆うひさし３１を設けたことにより、埃が接続端子３０の充電部に浸入してトラッキングを起こすことを防止でき、さまざまな施工業者による人為的作業ばらつきに対して、安全性を確保することができる。
【産業上の利用可能性】
【００５５】
本発明に係る換気装置は、ＤＣモーターを搭載し複雑な制御回路を備えた天井に埋め込んで設置される換気装置に広く有用である。
【図面の簡単な説明】
【００５６】
【図１】本発明の実施の形態１の天井埋込形換気扇を示す側断面図
【図２】同天井埋込形換気扇の分解斜視図
【図３】同天井埋込形換気扇の上面図
【図４】同天井埋込形換気扇の回路ケースの接続開口付近を示す断面図（カバー閉時）
【図５】同天井埋込形換気扇の回路ケースの接続開口付近を示す断面図（カバー開時）
【図６】同回路ケースの断面図
【図７】本発明の実施の形態２の天井埋込形換気扇を示す斜視図
【図８】同天井埋込形換気扇の回路ケースを示す上面図
【図９】同回路ケースの側面図
【符号の説明】
【００５７】
１    吸込口
２    吐出口
３    本体フレーム
４    天面
５    ＤＣモーター
６    遠心送風ファン
７    ファンケーシング
９    送風ユニット
１０  化粧パネル
１１  制御回路
１２  回路ケース
１４  側面
１５  リード線
１６  外方側一側面
１７  電源電線
１８  速結端子
１９  接続開口
２０  スペース
２１  排気ダクト
２２  押しボタン
２３  開口
２４  カバー
２５  ケース
２６  ケースカバー
２８  フェライトコア
２９  コード
３０  接続端子
３１  ひさし
Ｌ    水平方向中心線
【図１】
2010164202.tif 000003
【図２】
2010164202.tif 000004
【図３】
2010164202.tif 000005
【図４】
2010164202.tif 000006
【図５】
2010164202.tif 000007
【図６】
2010164202.tif 000008
【図７】
2010164202.tif 000009
【図８】
2010164202.tif 000010
【図９】
2010164202.tif 000011